(57)【要約】【課題】締付け金具付きブランケットから締付け金具を容易に取り外すことができるようにするための金具付きブランケットの金具取り外し装置を提供することにある。【解決手段】オフセット印刷機のブランケット胴に巻回して締め付け装着されるオフセット印刷用ブランケットＡの印刷方向の両端部に挟着して取り付けた締付け金具を取り外すためのオフセット印刷用締付け金具付きブランケットの金具取り外し装置において、断面略コの字型締付け金具４ａ、４ｂのブランケット表面側又は裏面側の長手面（４１、４２）をその長手方向に沿って回転する一対の締圧丸刃２１と受ロール２２にて締圧しつつ締圧した締圧線にて反り曲げて該長手面をブランケット面から離反させるベンディングユニットＢと、該長手面を締圧線に沿って回転する一対の断裁丸刃２３と受ロール２４にてカッティングして締付け金具本体から切り離すカッティングユニットＣとを備える。【選択図】図１
2008162047.tif 000002
【特許請求の範囲】
【請求項１】
オフセット印刷機のブランケット胴に巻回して締め付け装着されるオフセット印刷用ブランケットの印刷方向の両端部に挟着して取り付けた巻回装着用の断面略コの字型の締付け金具を取り外すためのオフセット印刷用締付け金具付きブランケットの金具取り外し装置において、前記断面略コの字型の締付け金具のブランケット表面側又は裏面側の長手面をその長手方向に沿って回転する一対の締圧丸刃と受ロールにて締圧しつつ、その締圧した締圧線にて反り曲げて該長手面をブランケット面から離反させるベンディングユニットと、該長手面を締圧線に沿って回転する一対の断裁丸刃と受ロールにてカッティングして締付け金具本体から切り離すカッティングユニットとを備え、該ベンディングユニットとカッティングユニットが締付け金具の長手方向の側方に沿って直線往復移動するリニア移動体に一体に軸支されていることを特徴とするオフセット印刷用締付け金具付きブランケットの金具取り外し装置。
【請求項２】
請求項１記載のオフセット印刷用締付け金具付きブランケットの金具取り外し装置において、前記リニア移動体は該移動体に取り付けたブラケットに螺着したスクリューシャフトの駆動回転によりリニアガイドにガイド支持されて直線的に往復移動可能であり、該リニア移動体に軸支されたベンディングユニットの前記一対の締圧丸刃と受ロール、及びカッティングユニットの前記一対の断裁丸刃と受ロールは、同軸回転するピニオンギアを備え、該リニア移動体の直線往復移動によりラックギアと噛合して回転することを特徴とするオフセット印刷用締付け金具付きブランケットの金具取り外し装置。
【請求項３】
請求項１記載のオフセット印刷用締付け金具付きブランケットの金具取り外し装置において、回転する一対の前記締圧丸刃と受ロールの内側にて対向するフォロアロールの対向間、及び回転する一対の前記断裁丸刃と受ロールの内側にて対向するフォロアロールの対向間に、前記可動体の移動方向に沿って、ブランケット端部の締付け金具をその長手方向に沿って下側から保持する金具受ステーが配設されていることを特徴とするオフセット印刷用締付け金具付きブランケットの金具取り外し装置。
【請求項４】
請求項１記載のオフセット印刷用締付け金具付きブランケットの金具取り外し装置において、前記ベンディングユニットの締圧丸刃は、締圧時のブランケット側に片刃の刃先を備え、前記カッティングユニットの断裁丸刃は、断裁時のブランケット側に対して反対側に片刃の刃先を備えることを特徴とするオフセット印刷用締付け金具付きブランケットの金具取り外し装置。
【発明の詳細な説明】
【技術分野】
【０００１】
本発明は、オフセット印刷機のブランケット胴に巻回して締め付け装着されるオフセット印刷用ブランケットの印刷方向の両端部に、巻回装着用の断面略コの字型の締付け金具が挟着された装着用締付け金具付きブランケットの装着用締付け金具とブランケットとを分離して回収するためのオフセット印刷用締付け金具付きブランケットの金具取り外し装置に関する。
【背景技術】
【０００２】
オフセット印刷（機）方式には、湿し水と平版印刷版を用いた通常のオフセット印刷機（方式）と、平版印刷版を用い湿し水を用いないドライオフセット印刷機（方式）と、凹版（グラビア）印刷版を用いた凹版（グラビア）印刷機（方式）があり、いずれの印刷機においても、そのブランケット胴に巻回して締め付け装着されるオフセット印刷用ブランケットが用いられる。
【０００３】
図１０に示すように、一般的にオフセット印刷用ブランケット１は、クッション性の表面を備えた矩形状のシートであり、織布、繊維などの丈夫な布製の支持シート２の表面に、ゴムなどクッション性のある素材３が積層、ライニングされている。このブランケットの印刷方向の両端部１ａ、１ｂには、その各々端部縁に沿って、それぞれアルミニウム製の締付け金具４ａ、４ｂ（アルミバー）が略コの字状に挟着されて取り付けられている。
【０００４】
ブランケット１の両端部に取り付けられた各々締付け金具４ａ、４ｂは、図１１に示すようにオフセット印刷機のブランケット胴１０の周面内部に配設された回転可能な一対の差込みシャフト１１、１１のそれぞれ装着溝部１１ａ、１１ｂ内に嵌着されて、ブランケット１がブランケット胴１０の周面に巻回される。その後、差込みシャフト１１、１１（又はその何れか一方）を締め付け方向（実線矢印方向）に手動又は自動にて回転させることにより、ブランケット１はブランケット胴１０の周面に締め付け装着されるようになっている。例えば、実開平４−１３２９７６号（特許文献１）、実公平６−１７５４３号公報（特許文献２）には、そのブランケット及びその締付け金具について記載されている。
【０００５】
このようにしてブランケット１をオフセット印刷機のブランケット胴１０に装着して印刷を行い、印刷作業を終了した後には、次の印刷作業のために、継続保管中の使用可能な他のブランケット１（締付け金具付き）に交換したり、新しいブランケット１（締付け金具付き）に交換したりする必要がある。その際は、まず、ブランケット１を締め付けている差込みシャフト１１、１１（又はその何れか一方）を、緩め方向（点線矢印方向）に手動又は自動にて回転させて、ブランケット胴１０周面に締め付けられているブランケット１を緩めた後、締付け金具１１ａ、１１ｂを差込みシャフト１１、１１のそれぞれ装着溝部１１ａ、１１ｂ内から取り外し、ブランケット１をブランケット胴１０から印刷機外に取り外す。
【０００６】
印刷機外に取り外されたブランケット１のうち、継続保管を必要としないような使用不能となったブランケット１は、廃棄する際には、ゴム製のブランケット１本体（支持シート１とクッション性素材３の部分）と、締付け金具１１ａ、１１ｂとに分別して廃棄処理する必要がある。
【０００７】
しかしながら、金属製の締付け金具４（４ａ、４ｂ）は、図１２に示すように、ブランケット１本体の印刷方向の両端部の端縁長さに略等しい長さの長手面を備えた表面板４１、同様の長手面を備えた裏面板４２、両者を断面略コの字型に接続する背面板４３を備え、締付け金具４ａ、４ｂは断面がコの字型を呈していて、表面板４１の内面には、１又は２条、乃至数状の鋭角状の突起４１ａ、裏面板４２の内面には、１又は２条、乃至数状の鋭角状の突起４２ａを備えている。
【０００８】
そして、締付け金具４（４ａ、４ｂ）は、図１０に示すようにブランケット１本体の各々端部に、その表裏面から締め付けるように挟持されて挟着されていて、ブランケット１本体の両端部１ａ、１ｂに挟着されて取り付けられているため、簡単に取り外しすることは困難である。
【０００９】
そのため、従来は締付け金具付きブランケット１の両端部に取り付けられている締付け金具１１ａ、１１ｂとブランケット１本体との境界部分に沿って、カッターやハサミなどの切断用具にて、そのブランケット１本体をカッティングして、ブランケット１本体と締付け金具１１ａ、１１ｂとを切り離す。その後に、締付け金具１１ａ、１１ｂ内に挟まれているブランケット１本体端部の切れ端しを手指を用いて取り除くことにより、ブランケット１本体と金属製締付け金具１１ａ、１１ｂとを分別して、廃棄処理するようにしていた。そのために、締付け金具付きブランケット１の廃棄処理には多大の労力と時間とを必要としていた。
【００１０】
下記に本発明に関連する先行技術文献を記載する。
【特許文献１】実開平４−１３２９７６号
【特許文献２】実公平６−１７５４３号公報
【発明の開示】
【発明が解決しようとする課題】
【００１１】
本発明の課題は、ブランケット１本体の両端部に締付け金具が挟着して取り付けられた締付け金具付きブランケット１から、締付け金具を容易に取り外すことができるようにするためのオフセット印刷用締付け金具付きブランケットの金具取り外し装置を提供することにある。
【課題を解決するための手段】
【００１２】
本発明の請求項１に係る発明は、オフセット印刷機のブランケット胴に巻回して締め付け装着されるオフセット印刷用ブランケットの印刷方向の両端部に挟着して取り付けた巻回装着用の断面略コの字型の締付け金具を取り外すためのオフセット印刷用締付け金具付きブランケットの金具取り外し装置において、前記断面略コの字型の締付け金具のブランケット表面側又は裏面側の長手面をその長手方向に沿って回転する一対の締圧丸刃と受ロールにて締圧しつつ、その締圧した締圧線にて反り曲げて該長手面をブランケット面から離反させるベンディングユニットと、該長手面を締圧線に沿って回転する一対の断裁丸刃と受ロールにてカッティングして締付け金具本体から切り離すカッティングユニットとを備え、該ベンディングユニットとカッティングユニットが締付け金具の長手方向の側方に沿って直線往復移動するリニア移動体に一体に軸支されていることを特徴とするオフセット印刷用締付け金具付きブランケットの金具取り外し装置である。
【００１３】
本発明の請求項２に係る発明は、上記請求項１に係るオフセット印刷用締付け金具付きブランケットの金具取り外し装置において、前記リニア移動体は該移動体に取り付けたブラケットに螺着したスクリューシャフトの駆動回転によりリニアガイドにガイド支持されて直線的に往復移動可能であり、該リニア移動体に軸支されたベンディングユニットの前記一対の締圧丸刃と受ロール、及びカッティングユニットの前記一対の断裁丸刃と受ロールは、同軸回転するピニオンギアを備え、該リニア移動体の直線往復移動によりラックギ
アと噛合して回転することを特徴とするオフセット印刷用締付け金具付きブランケットの金具取り外し装置である。
【００１４】
本発明の請求項３に係る発明は、上記請求項１に係るオフセット印刷用締付け金具付きブランケットの金具取り外し装置において、回転する一対の前記締圧丸刃と受ロールの内側にて対向するフォロアロールの対向間、及び回転する一対の前記断裁丸刃と受ロールの内側にて対向するフォロアロールの対向間に、前記可動体の移動方向に沿って、ブランケット端部の締付け金具をその長手方向に沿って下側から保持する金具受ステーが配設されていることを特徴とするオフセット印刷用締付け金具付きブランケットの金具取り外し装置である。
【００１５】
本発明の請求項４に係る発明は、上記請求項１に係るオフセット印刷用締付け金具付きブランケットの金具取り外し装置において、前記ベンディングユニットの締圧丸刃は、締圧時のブランケット側に片刃の刃先を備え、前記カッティングユニットの断裁丸刃は、断裁時のブランケット側に対して反対側に片刃の刃先を備えることを特徴とするオフセット印刷用締付け金具付きブランケットの金具取り外し装置である。
【発明の効果】
【００１６】
本発明のオフセット印刷用締付け金具付きブランケットの金具取り外し装置は、ベンディングユニットと、カッティングユニットとを備え、ベンディングユニットが、断面略コの字型の締付け金具のブランケット表面側、又は裏面側の長手面を、その長手方向に沿って、回転する一対の締圧丸刃と受ロールにて締圧しつつ、その締圧した締圧線にて反り曲げ、該長手面をブランケット面から離反させる。続いて、カッティングユニットが、ブランケット面から離反させた前記長手面を、締圧線に沿って回転する一対の断裁丸刃と受ロールにてカッティングして、締付け金具本体から切り離すことができる。
【００１７】
このように本発明の金具取り外し装置は、断面略コの字型の締付け金具の一方の長手面（表面板又は裏面板）をブランケット面から離反させながら、その長手方向に沿ってカッティングして締付け金具本体から一度に切り離すことができる。そのため、従来のような締付け金具付きブランケット１の両端部に取り付けられている締付け金具とブランケット本体との境界部分に沿ってカッターやハサミなどの切断用具を用いてそのブランケット本体をカッティングする必要がない。また、従来の締付け金具内に挟まれているブランケット本体端部の切れ端しを手指を用いて取り除くなどの労力が省力化でき、締付け金具付きブランケットの廃棄処理におけるブランケット本体と金属製締付け金具との分別作業や回収作業における労力と時間を節約できる効果がある。
【発明を実施するための最良の形態】
【００１８】
本発明のオフセット印刷用締付け金具付きブランケットの金具取り外し装置の一実施の形態を、以下に詳細に説明すれば、本発明の装置は、オフセット印刷機のブランケット胴に巻回して締め付け装着されるオフセット印刷用ブランケット１本体の印刷方向の両端部１ａ、１ｂに挟着して取り付けられたオフセット印刷用締付け金具付きブランケットＡの断面略コの字型の締付け金具４（４ａ、４ｂ、一例として図１０、図１１、図１２参照）を取り外すための装置である。
【００１９】
締付け金具４ａ、４ｂ（図１２参照）には、アルミニウム、ステンレス等の金属製材料を用いて製造されており、その構造は、図１に示すように、ブランケット１本体の印刷方向の両端部の端縁長さに略等しい長さの長手面を備えた表面板４１と、同様の長手面を備えた裏面板４２と、両者を断面略コの字型に接続する背面板４３とから構成されて、断面がコの字型を呈している。また、例えば、図１２に示すように、表面板４１の内面には、１又は２条、乃至数状の鋭角状の突起４１ａ、裏面板４２の内面には、１又は２条、乃至
数状の鋭角状の突起４２ａを備えている。
【００２０】
本発明の装置の構造は、図１の全体斜視図に示すように、ブランケット本体１の印刷方向両端部１ａ、１ｂに断面略コの字型の締付け金具４ａ、４ｂを挟着して取り付けたオフセット印刷用締付け金具付きブランケットＡを平坦に載置するための載置台２０を備え、ブランケットＡは、その印刷方向端部１ａ（又は１ｂ）の金具４ａ（又は４ｂ）を、その載置台２０の直線状の前端部２０ａに平行に整合させて載置される。また、載置台２０上に平坦に載置したブランケットＡを載置台２０面に押さえ付けて固定保持するための押圧ステー２０ｂ（又は押圧プレート）が必要に応じて設けられている。
【００２１】
載置台２０の前端部２０ａには、その前端部２０ａに沿って対峙して直線的に、実線矢印方向又は点線矢印方向に往復移動可能な可動体３０を備え、該可動体３０には、ブランケットＡの表面側（印刷インキの付着するゴムなどクッション性のある素材３側）又は裏面側（支持シート２側）の締付け金具４ａ（又は４ｂ）の長手面をその長手方向に沿って締圧する上下に対向して回転する一対の締圧丸刃２１と受ロール２２とが、その支軸２１ａ、２２ａを、該可動体３０の直線移動方向と直交する方向を軸方向として、軸受部３３、３３に軸支されてベンディングユニットＢが構成されている。
【００２２】
前記可動体３０は、図１及び図６の側面図に示すように、装置本体フレームＦに取付け支持されたリニアガイド３１にガイドされてスライド移動する可動ブラケット３２に取り付けられていて、載置台２０の直線状の前端部２０ａに沿って対峙して直線的に往復移動可能になっている。可動体３０の移動駆動方式としては本発明においては特に限定されるものではない。なお、図６の側面図に示すように、リニアガイド３１とそれにガイドされて移動する可動ブラケット３２とは、可動体３０の上下にそれぞれ１対ずつ設けるようにしてもよい。
【００２３】
例えば、可動体３０は、リニアガイド３１に平行に螺着したスクリューシャフト３５を備えていて、該スクリューシャフト３５の回転駆動（モーターによる正回転又は逆回転）により往路又は復路の直線移動の駆動を行うことができる。また他の移動駆動方式としては、タイミングベルト、チェーン等による牽引駆動方式や、空圧シリンダーや油圧シリンダー等のアクチュエータ駆動方式など公知の駆動方式を採用することができる。
【００２４】
可動体３０には、図１及び図６の側面図に示すように、該可動体３０に軸支された締圧丸刃２１と受ロール２２の前記支軸２１ａと２２ａとの間を直交する方向に通って、該可動体３０の内外に水平方向に装通する上向きにギア目を有するラックギア３６と下向きにギア目を有するラックギア３７とを備え、各々ラックギア３６、３７には、それぞれ締圧丸刃２１と受ロール２２の前記支軸２１ａと２２ａに取り付け軸支され且つ該支軸２１ａ、２２ａをそれぞれ回転させるビニオンギア２１ｂ、２２ｂが噛合している。
【００２５】
そのため可動体３０の移動により、ラックギア３６、３７は可動体３０に対して相対移動し、該可動体３０に軸支された各々支軸２１ａ、２２ａに取り付け軸支されたピニオンギア２１ｂ、２２ｂは、それと噛合する前記ラックギアの相対移動により回転して、該支軸２１ａ、２２ａ及び締圧丸刃２１と受ロール２２は、図１に示すように互いに反対方向に（点線矢印方向又は実線矢印方向）に回転する。
【００２６】
また、上記可動体３０には、図１及び図７の側面図に示すように、ブランケットＡの表面側（印刷インキの付着するゴムなどクッション性のある素材３側）又は裏面側（支持シート２側）の締付け金具４ａ（又は４ｂ）の長手面を、上記ベンディングユニットＢにより、その長手方向に沿って締圧し、その締圧による長手方向の締圧屈曲線に沿って反り曲げ、ブランケット１本体面からその長手面を立ち起こすように離反させた後に、その長手方向の略締圧屈曲線（締圧線）に沿って、上下に対向して回転する一対の断裁丸刃２３と受ロール２４（又は受刃２４）とが、その支軸２３ａ、２４ａを、該可動体３０の直線移動方向と直交する方向を軸方向として、軸受部３４、３４に軸支されてカッティングユニットＣが構成されている。
【００２７】
なお、図７に示すように受ロール２４を平坦な周面のロール形状とした場合には、それと対向する断裁丸刃２３の形状は片刃、両刃のいずれでもよいが、受ロール２４を鋭角な刃先の受刃２４とした場合、その刃先が両刃の場合には、それと対向する断裁丸刃２３の形状は片刃、両刃のいずれでもよいが、その刃先が片刃の場合には、それと対向する断裁丸刃２３の形状は片刃（剪断方式）が適当である。
【００２８】
前記可動体３０の内外に水平方向に装通する上向きにギア目を有する前記ラックギア３６と下向きにギア目を有するラックギア３７には、図１及び図７の側面図に示すように、それぞれ断裁丸刃２３と受ロール２４（又は受刃２４）の前記支軸２３ａと２４ａに取り付け軸支され且つ該支軸２３ａ、２４ａをそれぞれ回転させるビニオンギア２３ｂ、２４ｂが噛合している。
【００２９】
そのため前記可動体３０の移動により、ラックギア３６、３７は可動体３０に対して相対移動し、該可動体３０に軸支された各々支軸２３ａ、２４ａに取り付け軸支されたピニオンギア２３ｂ、２４ｂは、それと噛合するラックギア３６、３７の相対移動により回転して、該支軸２３ａ、２４ａ及び断裁丸刃２３と受ロール２４（又は受刃２４）は、図１に示すように互いに反対方向に（点線矢印方向又は実線矢印方向）に回転する。
【００３０】
また、図６及び図７の側面図に示すように、それぞれ対向する締圧丸刃２１と受ロール２２及び対向する断裁丸刃２３と受ロール２４の対向位置より可動体３０の軸受部３３、３４寄り側の隣接部分に、各々支軸２１ａ、２２ａ、２３ａ、２４ａに軸支されたそれぞれ締圧丸刃２１より小直径のフォロアロール２１ｃと、受ロール２２より小直径の２２ｃと、断裁丸刃２３より小直径の２３ｃと受ロール２４（又は受刃２４）より小直径の２４ｃとを備える。
【００３１】
図３の全体上面図、図４の部分上面図、及び図６、図７、及び図８、図９の側面図に示すように、対向するフォロアロール２１ｃと２２ｃの対向間、及び対向するフォロアロール２３ｃと２４ｃの対向間には、前記可動体３０の移動方向に沿って、金具付きブランケットＡ端部の締付け金具４ａ（又は４ｂ）をその長手方向に沿って下側から保持する金具受ステー３８が各フォロアロールとの間に所定のクリアランス又は間隔を以て配設されている。又は、互いにスリッブ（摺動）しない程度に各フォロアロールが金具受ステー３８の上面と下面に密接しながら転動するように配設されている。なお、金具受ステー３８の材質は金属材料が適当であるが、必要に応じてプラスチック材料であってもよい。
【００３２】
図１、図２の全体斜視図に示すように、締付け金具４ａ、４ｂを挟着して取り付けたオフセット印刷用締付け金具付きブランケットＡを載置台２０上に平坦に載置する。そして図８のベンディングユニットＢの拡大側面図に示すように、その締付け金具４ａ（又は４ｂ）を、対向する締圧丸刃２１と受ロール２２及び対向する断裁丸刃２３と受ロール２４（又は受刃２４）の対向間に導入し、その断面略コの字型の締付け金具４ａ（又は４ｂ）の表面板４１と背面板４３との内角隅部の真上相当部が、締圧丸刃２１の刃先と断裁丸刃２３の刃先（両刃先は一直線上に位置する）の真下位置になるように、その締付け金具４ａ（又は４ｂ）の背面板４３の外面（先端面）を、図８に示すように金具受ステー３８の側面に当接させてブランケットＡを載置台２０上に押圧ステー２０ｂ又はマニュアルにて保持する。
【００３３】
本発明装置における前記ベンディング（屈曲）ユニットＢの締圧丸刃２１に使用する丸刃の刃先の形状は、締付け金具４ａ、４ｂの表面板４１、裏面板４２の長手面をその長手方向に沿って屈曲させる（反り返らせる）ことができる程度のものであれば、本発明においては特に限定されるものではないが、例えば、図４、図６、図７に示すように、締圧時のブランケット１本体側に、片刃の締圧用の刃先を備え、その刃先は比較的切れ難い、鈍角な刃先又は平坦な刃先が適当である。また、前記カッティングユニットＣの断裁丸刃２３に使用する丸刃の刃先の形状は、締付け金具４ａ、４ｂの表面板４１、裏面板４２の長手面をその長手方向に沿って断裁することができる程度のものであれば、本発明においては特に限定されるものではないが、例えば、図４、図６、図７に示すように、断裁時のブランケット１本体側に対して反対側に、片刃の刃先を備え、その刃先は比較的切れ味の良い鋭角な刃先が適当である。
【００３４】
これにより本発明装置は、図１、図２に示す前記可動体３０が、載置台２０上に載置された断面略コの字型の締付け金具付きブラケットＡの右端を外れた位置から、左方向に移動（可動ブラケット３２が実線矢印方向に移動）することにより、対向する締圧丸刃２１と受ロール２２も実線矢印方向に回転しながら可動体３０と一体的に移動する。そして対向する締圧丸刃２１と受ロール２２によるこのベンディングユニットＢは、図１、図２及び図８に示すように、締付け金具４ａ（又は４ｂ）の背面板４３を金具受ステー３８の側面に当接させた状態の断面略コの字型の締付け金具４ａ又は４ｂのブランケット１本体表面側の長手面（表面板４１）又は裏面側の長手面（裏面板４２）を、その長手方向に沿って表裏両面から締圧しつつ、その締圧丸刃２１の刃先の鈍い丸刃により線状に締圧して屈曲させ、且つ受ロール２２の平坦周面により面状に受けながら、該締圧丸刃２１の線状の締圧による締圧屈曲線に沿って、締付け金具４ａ又は４ｂの長手面（表面板４１）又は裏面側の長手面（裏面板４２）を矢印のように反り曲げる。これにより、該締圧屈曲線よりブランケット１本体側の長手面（表面板４１又は裏面板４２）をブランケット１本体面から立ち起こすように離反させていくものである。
【００３５】
また、図１、図２に示す前記可動体３０が、載置台２０上に載置された断面略コの字型の締付け金具付きブラケットＡの右端を外れた位置から、左方向に移動（可動ブラケット３２が実線矢印方向に移動）することにより、対向する前記断裁丸刃２３と受ロール２４（又は受刃２４）も、実線矢印方向に回転しながら、前述した対向する締圧丸刃２１、受ロール２２と一体的に移動する。
【００３６】
続いて、図１、図２、及び図９に示すように、対向する前記断裁丸刃２３と受ロール２４（又は受刃２４）によるこのカッティングユニットＣは、図８に示したそれより先に対向する締圧丸刃２１と受ロール２２によって線状に締圧して屈曲させ、線状の締圧による締圧屈曲線に沿って反り曲げられ、該締圧屈曲線よりブランケット１本体面から立ち起こすように離反させられた締付け金具４ａ（又は４ｂ）のブランケット１本体側の長手面（表面板４１又は裏面板４２）を、図９に示すように、締付け金具４ａ（又は４ｂ）の背面板４３を金具受ステー３８の側面に当接させた状態で、断裁丸刃２３と受ロール２４（又は受刃２４）とにより（又は図７に示すように片刃の断裁丸刃２３と断面矩形状の金具受ステー３８の左上角部の端部エッジ部とによる剪断方式により）、その略締圧屈曲線に沿って長手方向に断裁して行き、金具断裁後のブランケット１本体の端部には、挟着状態が解除された断面Ｌ字型の締付け金具４ａ（又は４ｂ）が残った状態で、長手面（表面板４１又は裏面板４２）が金具本体から切り離される。
【００３７】
このようにして、前記可動体３０が、図１、図２の全体斜視図に示すように、載置台２０上に載置された断面略コの字型の締付け金具付きブラケットＡの右端を外れた位置から左方向に、該ブラケットＡの左端を外れた位置まで移動（可動ブラケット３２が実線矢印方向に移動）することにより、ベンディングユニットＢを構成する対向する締圧丸刃２１と受ロール２２は、締付け金具４ａ（又は４ｂ）の長手面（表面板４１又は裏面板４２）を、ブランケット１本体面から立ち起こすように離反させながら、カッティングユニットＣを構成する対向する断裁丸刃２３と受ロール２４（又は受刃２４）が、締圧屈曲線に沿ってブランケット１本体面から離反した締付け金具４ａ（又は４ｂ）の長手面（表面板４１又は裏面板４２）を、その締圧屈曲線に沿って断裁して挟着状態を解除し、ブランケット１本体の端部に断裁後の断面Ｌ字型の締付け金具４ａ（又は４ｂ）を残して、締付け金具本体から長手面（表面板４１又は裏面板４２）を切り離すものである。なお、金具受ステー３８の厚味ｄは、本発明においては特に限定されず、図８、図９に示すように金具付きブランケットＡの締付け金具４ａ（又は４ｂ）背面板４３を当接できる程度（受ロール２２、２４の外周面より突出する程度）の厚味であればよい。又は、金具付きブランケットＡの締付け金具４ａ（又は４ｂ）裏面板４２（又は表面板４１）を、その金具受ステー３８上面に載置できる程度の厚味であればよい。その場合、金具受ステー３８の厚味とそれに接して回転するフォロアロール２１ｃ、２２ｃ、２３ｃ、２４ｃの直径は、互いにスリップ（摺動）が発生しないように適宜に設計変更できるものである。
【００３８】
断裁後は、ブランケット１本体の端部に断面コの字型から断面Ｌ字型となった締付け金具４ａ（又は４ｂ）の付いたブランケットＡを装置本体から外して、挟着状態が解除された断面Ｌ字型となった締付け金具４ａ（又は４ｂ）をブランケット１本体の端部から、マニュアル（手指）により剥離するようにして取り外すものである。
【００３９】
また、本発明装置の他の動作として、図１、図２の全体斜視図に示すように、締付け金具４ａ、４ｂを挟着して取り付けたオフセット印刷用締付け金具付きブランケットＡを載置台２０上に平坦に載置し、その締付け金具４ａ（又は４ｂ）を、対向する締圧丸刃２１と受ロール２２及び対向する断裁丸刃２３と受ロール２４（又は受刃２４）の対向間に導入するとともに、その断面略コの字型の締付け金具４ａ（又は４ｂ）の表面板４１と背面板４３との内角隅部の真上相当部が、締圧丸刃２１の刃先と断裁丸刃２３の刃先（両刃先は一直線上に位置する）の真下位置になるようにして、その締付け金具４ａ（又は４ｂ）を前記金具受ステー３８の上面に載置して（図示せず）、該ブランケットＡを載置台２０上に押圧ステー２０ｂ又はマニュアルにて保持するようにしてもよい。                
【００４０】
そして、その場合には対向する前記断裁丸刃２３と受ロール２４（又は受刃２４）によるこのカッティングユニットＣは、それより先に対向する締圧丸刃２１と受ロール２２によって線状に締圧して屈曲させ、線状の締圧による締圧屈曲線に沿って反り曲げられ、該締圧屈曲線よりブランケット１本体面から立ち起こすように離反させられた締付け金具４ａ（又は４ｂ）のブランケット１本体側の長手面（表面板４１又は裏面板４２）を、断裁丸刃２３と受ロール２４（又は受刃２４）とにより（又は図７に示すように片刃の断裁丸刃２３と断面矩形状の金具受ステー３８の左上角部の端部エッジ部とによる剪断方式により）、その略締圧屈曲線に沿って長手方向に断裁して行き、金具断裁後のブランケット１本体の端部には、挟着状態が解除された断面Ｌ字型の締付け金具４ａ（又は４ｂ）が残った状態で、長手面（表面板４１又は裏面板４２）が金具本体から切り離される。
【００４１】
このようにして、前記可動体３０が、図１、図２の全体斜視図に示すように、載置台２０上に載置された断面略コの字型の締付け金具付きブラケットＡの右端を外れた位置から左方向に、該ブラケットＡの左端を外れた位置まで移動（可動ブラケット３２が実線矢印方向に移動）することにより、ベンディングユニットＢを構成する対向する締圧丸刃２１と受ロール２２は、締付け金具４ａ（又は４ｂ）の長手面（表面板４１又は裏面板４２）を、ブランケット１本体面から立ち起こすように離反させながら、カッティングユニットＣを構成する対向する断裁丸刃２３と受ロール２４（又は受刃２４）が、締圧屈曲線に沿ってブランケット１本体面から離反した締付け金具４ａ（又は４ｂ）の長手面（表面板４１又は裏面板４２）を、その締圧屈曲線に沿って断裁して挟着状態を解除し、ブランケット１本体の端部に断裁後の断面Ｌ字型の締付け金具４ａ（又は４ｂ）を残して、締付け金具本体から長手面（表面板４１又は裏面板４２）を切り離すものである。
【００４２】
断裁後は、ブランケット１本体の端部に断面コの字型から断面Ｌ字型となった締付け金具４ａ（又は４ｂ）の付いたブランケットＡを装置本体から外して、挟着状態が解除された断面Ｌ字型となった締付け金具４ａ（又は４ｂ）をブランケット１本体の端部から、マニュアル（手指）により剥離するようにして取り外すものである。
【図面の簡単な説明】
【００４３】
【図１】本発明装置の全体斜視図。
【図２】本発明装置の全体斜視図。
【図３】本発明装置の全体上面図。
【図４】本発明装置の部分拡大上面図。
【図５】本発明装置の可動体の軸受部を説明する部分正面図。
【図６】本発明装置のベンディングユニットの全体側面図。
【図７】本発明装置のカッティングユニットの全体側面図。
【図８】本発明装置のベンディング動作を説明するベンディングユニットの全体側面図。
【図９】本発明装置のカッティング動作を説明するカッティングユニットの全体側面図。
【図１０】一般的なオフセット印刷用の締付け金具付きブランケットの側断面図。
【図１１】一般的なオフセット印刷機のブランケット胴及びブランケットに締付け金具付きブランケットを装着した状態を説明する部分側断面図。
【図１２】オフセット印刷用ブランケットに挟着する一般的な締付け金具の部分斜視図。
【符号の説明】
【００４４】
Ａ…締付け金具付きブランケット
Ｂ…ベンディングユニット
Ｃ…カッティングユニット
Ｆ…装置本体フレーム
１…ブランケット本体
２…支持シート
３…クッション性部材
４…締付け金具
４ａ、４ｂ…締付け金具
１０…ブランケット胴
１１…締付けシャフト
１１ａ、１１ｂ…装着溝部
２０…載置台
２１…締圧丸刃
２２…受ロール
２３…断裁丸刃
２４…受ロール（又は受刃）
３０…可動体
３１…リニアガイド
３２…スライドブラケット
３３…軸受部
３４…軸受部
３５…スクリューシャフト
３６…ラックギア
３７…ラックギア
３８…金具受ステー
４１…表面板
４２…裏面板
４３…背面板
【図１】
2008162047.tif 000003
【図２】
2008162047.tif 000004
【図３】
2008162047.tif 000005
【図４】
2008162047.tif 000006
【図５】
2008162047.tif 000007
【図６】
2008162047.tif 000008
【図７】
2008162047.tif 000009
【図８】
2008162047.tif 000010
【図９】
2008162047.tif 000011
【図１０】
2008162047.tif 000012
【図１１】
2008162047.tif 000013
【図１２】
2008162047.tif 000014